(57)【要約】【課題】移動筒に外部から与えられた衝撃でカムピンがカム溝から外れることを防ぐ。【解決手段】移動筒３は、直進ガイド溝４が形成された中間筒５の内側に嵌め込まれ、中間筒５の外側には、カム溝６が設けられたカム筒７が嵌め込まれている。移動筒３は、レンズを保持するための筒本体１０と支持板１１とからなる。支持板１１は、ヒンジ溝１２を介して筒本体１０と一体である。支持板１１上にはカムピン２が保持されている。移動筒３が中間筒５から突出した状態で、移動筒３の前方から衝撃が与えられても、カムピン２が倒される力によってヒンジ溝１２を介して支持板１１が屈曲しカムピン２がカム溝６に圧接されるので、カムピン２はカム溝６から外れにくくなる。【選択図】　　　　図３
2004125971.tif 000002
【特許請求の範囲】
【請求項１】
カム溝を有し光軸を中心に回転されるカム筒と、前記カム溝に係合するカムフォロワを有し、カム筒の回転に伴うカム溝の変位によりカムフォロワとともに光軸方向に進退する移動筒とを備えたレンズ鏡筒において、
前記移動筒に、カムフォロワを保持しカム筒に向かって可動な支持部を設け、移動筒に外力が加わったときに前記支持部の移動によりカムフォロワがカム溝に入り込むようにしたことを特徴とするレンズ鏡筒。
【請求項２】
前記支持部は、一端側が移動筒に一体に連設され、他端側にカムフォロワが設けられた舌片状の支持板からなり、この支持板は前記一端側に形成された凹溝で屈曲してカム筒に向かって移動することを特徴とする請求項１記載のレンズ鏡筒。
【請求項３】
前記支持部は、一端側が移動筒に軸着され他端側にカムフォロワが設けられた揺動自在な支持板からなることを特徴とする請求項１記載のレンズ鏡筒。
【請求項４】
前記支持部は、カムフォロワが設けられた支持板と、この支持板と移動筒との間に設けられた弾性変形手段とからなることを特徴とする請求項１記載のレンズ鏡筒。
【発明の詳細な説明】
【０００１】
【発明の属する技術分野】
本発明は、レンズの繰り出し動作を可能にするカム機構を備えたレンズ鏡筒に関するものである。
【０００２】
【従来の技術】
ズームレンズには、モータの駆動や回転操作により変倍用レンズを光軸に沿って移動させるカム機構が内蔵されている。変倍用レンズはカムピンを有する移動筒内に保持され、移動筒はカム溝が形成されたカム筒に嵌め込まれている。カムピンがカム筒の回転によってカム溝内を摺動すると、移動筒は直進ガイドによって光軸方向に移動して変倍用レンズを前方に繰り出させる。
【０００３】
移動筒はスムーズな動作を行わせる必要があるため、カムピンとカム溝との間の摩擦力を小さくする工夫が従来よりなされており、例えば、カムピンとカム溝との間に寸法上の余裕をもたせて僅かなガタを生じさせ、カムピンとカム溝の接触面積を小さくすることが知られている。また、カム溝の片方の側面にカムピンを摺動させ、他方の側面に輪形バネを摺動させることで、ガタを抑えつつカムピンとカム溝との接触面積を小さくしているものもある（特許文献１参照）。
【０００４】
【特許文献１】
特開平６−１９４５５５号公報
【０００５】
【発明が解決しようとする課題】
しかしながら、移動筒をスムーズに動作させる目的でカムピンとカム溝の接触面積を小さくすると、突出した状態の移動筒に落下などによる衝撃が加えられた場合に、衝撃によって移動筒が押し込まれるとカムピンがカム溝から外れ、動作不良や故障を起こしてしまうという問題があった。
【０００６】
本発明は、上記問題点を考慮してなされたもので、カムピンとカム溝の接触面積を小さくしながらも、カムの脱落が起きにくいレンズ鏡筒を提供することを目的とする。
【０００７】
【課題を解決するための手段】
上記目的を達成するために、本発明は、カム溝を有し光軸を中心に回転されるカム筒と、前記カム溝に係合するカムフォロワを有し、カム筒の回転に伴うカム溝の変位によりカムフォロワとともに光軸方向に進退する移動筒とを備えたレンズ鏡筒において、前記移動筒に、カムフォロワを保持しカム筒に向かって可動な支持部を設け、移動筒に光軸方向への押し込み力が加わったときに前記支持部の移動によりカムフォロワがカム溝に入り込むようにしたことを特徴とするものである。
【０００８】
請求項２記載のレンズ鏡筒は、前記支持部を、一端側が移動筒に一体に連設され、他端側にカムフォロワが設けられた舌片状の支持板から構成し、この支持板を前記一端側に形成された凹溝で屈曲自在とし、カム筒に向かって移動させるものである。
【０００９】
請求項３記載のレンズ鏡筒は、前記支持部を、一端側が移動筒に軸着され他端側にカムフォロワが設けられた揺動自在な支持板から構成したものである。
【００１０】
請求項４記載のレンズ鏡筒は、前記支持部を、カムフォロワが設けられた支持板と、この支持板と移動筒との間に設けられた弾性変形手段とから構成したものである。
【００１１】
【発明の実施の形態】
図１において、レンズ鏡筒１は、カムピン２が設けられた移動筒３と、直進ガイド溝４が設けられた中間筒５と、有底のカム溝６が設けられたカム筒７とから構成される。移動筒３にはレンズ８が保持されている。移動筒３は中間筒５の内側で保持され、カム筒７は中間筒５の外側で保持される。
【００１２】
移動筒３の外周面上に突設されたカムピン２は、１２０度ごとに計３本設けられている。カムピン２は、移動筒３が中間筒５に嵌め込まれた際に直進ガイド溝４を貫通する。中間筒５にはカム筒７を抜け止めするフランジ９が設けられている。中間筒５は固定され、カム筒７は中間筒５の外周面上で回転する。カム溝６はカム筒７の内面に設けられ、中間筒５を通してカムピン２に係合する。カムピン２はカム筒７の回転によってカム溝６内を摺動する。カムピン２はカム溝６を摺動するときに、レンズ８の光軸と平行な直進ガイド溝４によって移動方向が規制され、移動筒３が直進ガイド溝４に沿って移動する。
【００１３】
図２において、移動筒３は、カム筒７の回転によって中間筒５の内側に潜り込む位置（図２（Ａ））と、中間筒５の外側に繰り出される位置（図２（Ｂ））との間を自在に移動する。移動筒３は、レンズ８を保持した筒本体１０と、カムピン２が取り付けられた支持板１１とからなる。支持板１１は、その一端に形成されたヒンジ溝１２を介して筒本体１０に連設されており、他端が自由端となっている。
【００１４】
図３において、カムピン２は、その先端が面取りされ、平坦な頂面１４とテーパー面１５とを有する。カム溝６は、カムピン２の頂面１４が摺動する底面１６と、テーパー状にされた側面１７とを有し、カム溝６の幅はカムピン２の直径よりも大きく形成されている。カムピン２は、頂面１４の付近のみでカム溝６に摺接し、カム溝６との間で生じる摩擦が小さくされている。
【００１５】
次に本発明の作用について説明する。移動筒３が突出した状態にあるとき、落下等によりレンズ鏡筒１の前方から衝撃が与えられると、移動筒３が押し込まれる。移動筒３に与えられた衝撃により、カムピン２のテーパー面１５がカム溝６の側面１７に押し付けられる。このとき、図３（Ｂ）に示すように、カム溝６がカムピン２の先端側を支えようとする力と、カムピン２の根元側が移動筒３に引きずられる力とが働き、カムピン２は、その先端がレンズ鏡筒１の前方を向くように倒される。カムピン２の倒れにより、支持板１１はヒンジ溝１２の薄肉部分で弾性変形し、自由端側が持ち上げられて屈曲する。
【００１６】
支持板１１が持ち上げられてカム溝６に向かって移動すると、カムピン２は倒れた状態でカム溝６に押し付けられ、カムピン２の頂面１４がカム溝６の底面１６に圧接する。これにより、カムピン２はカム溝６から抜けにくくなる。
【００１７】
次に、本発明の第２の実施形態について説明する。図４において、移動筒２１には、ヒンジ２２を介して揺動自在な支持板２３が取り付けられている。ヒンジ２２は支持板２３の一端に設けられ、自由端である支持板２３の他端にカムピン２が保持されている。支持板２３が取り付けられた移動筒２１の後端は支持板２３の厚み分だけ薄く形成されており、支持板２３のカム取付け面２４と移動筒２１の外周面とがほぼ同一面上に位置している。
【００１８】
レンズが繰り出され、突出した状態の移動筒２１に前方から衝撃が加わると、カムピン２の先端がカム溝６に押し付けられ、カムピン２は移動筒２１の前方側にその先端を向けて倒される。カムピン２が倒れると、支持板２３がヒンジ２２でカム溝６に向かって揺動し、カムピン２を保持した支持板２３の他端が持ち上げられる。その結果、カムピン２がカム溝６に圧接し、カムピン２がカム溝６から外れにくくなる。
【００１９】
次に、第３の実施形態について説明する。図５において、支持部２７は、移動筒２８の後端に設けられており、カムピン２を保持した支持板２９と、移動筒２８上で支持板２９を前後でそれぞれ支える一対の弾性脚３０，３１とからなる。支持板２９は、斜めに傾いた状態で互いに平行とされた弾性脚３０，３１に支えられている。
【００２０】
突出した状態の移動筒２１に前方から衝撃が加わり、カムピン２の先端がカム溝６に押し付けられると、支持板２９が移動筒２８に対して相対的に左方向にずれると同時に平行リンクの作用によって支持板２９がカム筒７の外周方向へ押し上げられる。その結果、カムピン２がカム溝６に押し付けられる。また、弾性脚３０，３１は、変形するときに移動筒２８に加えられた衝撃の一部を吸収する緩衝材として作用する。カムピン２の先端がカム溝６に向かって圧接されることで、カムピン２はカム溝６から外れにくくなる。
【００２１】
なお、本発明においては、カムフォロワとしてカムピンのみならず、ピン先端にローラを備えたローラタイプのものでもよく、カム溝に摺動するカムフォロワの形態に限定されない。また、上記実施形態では、カム筒の内側に移動筒を配置しているが、カム筒を移動筒の内側に配置したレンズ鏡筒にも同様に本発明を適用することができる。
【００２２】
【発明の効果】
以上のように、本発明のレンズ鏡筒では、移動筒のスムーズな動作に必要なカム溝とカムピンの間のガタを保ちながらも、突出した状態の移動筒に前方から衝撃が加えられた場合に、移動筒に設けられた支持部がカム溝に向かって移動し、カムフォロワがカム溝に圧接するように構成したので、カムフォロワの脱落を防止することができる。
【図面の簡単な説明】
【図１】レンズ鏡筒の分解斜視図である。
【図２】レンズ鏡筒の断面図である。
【図３】カムピンとカム溝の拡大図である。
【図４】第２実施形態におけるカムピンとカム溝の拡大図である。
【図５】第３実施形態におけるカムピンとカム溝の拡大図である。
【符号の説明】
１　レンズ鏡筒
２　カムピン
３　移動筒
６　カム溝
７　カム筒
８　レンズ
１１，２３，２９　支持板
【図１】
2004125971.tif 000003
【図２】
2004125971.tif 000004
【図３】
2004125971.tif 000005
【図４】
2004125971.tif 000006
【図５】
2004125971.tif 000007